(57)【要約】【課題】  コレクタによる収容芝草の排出は、車体の後方へできるだけ離間した位置へ行わせる必要があり、少容量のコレクタでは、収容芝草の排出作業の頻度も多くなって煩わしい。【解決手段】  芝草搬送シュータ１をのぞませるシュータ口２を形成の口壁３を有して後側に芝草収容のコレクタ４口部を接合させて着脱可能とするコレクタホルダ５に、これに取付けられるコレクタ４底部６の底口７を閉鎖して芝草を収容すると共に、このコレクタ４のダンプ時には後下り傾斜して芝草を後下方へ排出案内する開閉板８を設ける。この収容芝草を排出するには、コレクタ４をダンプすることによって、コレクタ口部から排出落下させる。このコレクタ４のダンプ回動に連動して開閉板８が後下り傾斜に回動して、コレクタ口部から落下する芝草を受けて後方地面へ排出案内する。【選択図】  図１
2009131170.tif 000002
【特許請求の範囲】
【請求項１】
芝草搬送シュータ（１）をのぞませるシュータ口（２）を形成の口壁（３）を有して後側に芝草収容のコレクタ（４）の口部を接合させて着脱可能とするコレクタホルダ（５）に、これに取付けられるコレクタ（４）の底部（６）に形成する底口（７）を閉鎖して芝草を収容すると共に、このコレクタ（４）のダンプ時には後下り傾斜して芝草を後下方へ排出案内する開閉板（８）を設けたことを特徴とするモーアの集草装置。
【請求項２】
前記コレクタホルダ（５）に、コレクタ（４）を後上部へ回動するダンプレバー（９）を設け、このダンプレバー（９）により前記開閉板（８）を開閉連動することを特徴とする請求項１に記載のモーアの集草装置。
【請求項３】
前記コレクタ（４）口部は、このコレクタ（４）の底口（７）と、この前端部の口壁（３）に接合する前口（１０）とを形成して、側面視Ｌ字状形態に開放することを特徴とする請求項１、又は２に記載のモーアの集草装置。
【請求項４】
前記コレクタ（４）の後底部（６）を、このダンプ回動方向に沿う円弧状曲面形態に形成したことを特徴とする請求項１、２、又は３に記載のモーアの集草装置。
【請求項５】
前記コレクタ（４）の左右両側部にハンガアーム（１１）を設け、このハンガアーム（１１）を、コレクタホルダ（５）のダンプ軸（１２）、及び後方に突出のダンプアーム（１３）に係合支持させて着脱可能に設けたことを特徴とする請求項１、２、３、又は４に記載のモーアの集草装置。
【発明の詳細な説明】
【技術分野】
【０００１】
この発明は、モーアデッキ部で刈取られる芝草の搬送を受けて収容するモーアの集草装置に関し、芝草収容のコレクタの構成、着脱を簡単、容易化するものである。
【背景技術】
【０００２】
コレクタを操作レバーによって開閉回動する技術や、シュータ終端部の残留草をコレクタ一側へ送出するためのクリーナプレートを、クリーナレバーによって操作する技術等（例えば、特許文献１参照）が知られている。
【特許文献１】特開２００７−７４９５７号公報（第５頁、図６、図７）。
【発明の開示】
【発明が解決しようとする課題】
【０００３】
モーアにあっては、作業条件の難しい場合が多く、操作性を良くするために、コレクタを含む車体の前後長さを短かくしたり、機体高さを低くする等の必要性が強い。しかしながら、コレクタによる収容芝草の排出は、車体の後方へできるだけ離間した位置へ行わせる必要があり、少ない容量のコレクタでは、収容芝草の排出作業の頻度も多くなって煩わしい。このため、コレクタの構成、着脱等を簡単、容易化して、取扱性を容易にするものである。
【課題を解決するための手段】
【０００４】
請求項１に記載の発明は、芝草搬送シュータ１をのぞませるシュータ口２を形成の口壁３を有して後側に芝草収容のコレクタ４の口部を接合させて着脱可能とするコレクタホルダ５に、これに取付けられるコレクタ４の底部６に形成する底口７を閉鎖して芝草を収容すると共に、このコレクタ４のダンプ時には後下り傾斜して芝草を後下方へ排出案内する開閉板８を設けたことを特徴とするモーアの集草装置の構成とする。
【０００５】
コレクタ４をコレクタホルダ５に取付けて、コレクタ口部を口壁３に接合させ、及び開閉板８をコレクタ４の底部６の底口７を閉鎖させた状態で、芝草の刈取、収容を行う。モーアデッキで刈取られる芝草が、シュータ１を経て口壁３のシュータ口２からコレクタ４内へ吹込搬入されて、搬送風はコレクタ４の網目から排気し、芝草がコレクタ４内に収容される。この収容芝草を排出するには、コレクタ４をダンプすることによって、コレクタ口部から排出落下させる。このコレクタ４のダンプ回動に連動して開閉板８が後下り傾斜に回動して、コレクタ口部から落下する芝草を受けて後方地面へ排出案内する。
【０００６】
請求項２に記載の発明は、前記コレクタホルダ５に、コレクタ４を後上部へ回動するダンプレバー９を設け、このダンプレバー９により前記開閉板８を開閉連動することを特徴とする。前記コレクタ４のダンプ操作は、コレクタホルダ５に設けたダンプレバー９の手操作による回動によって行われる。コレクタ４をダンプ回動することによって、コレクタ口部から収容芝草が下方へ排出される。この排出と連動して開閉板８が下方回動して底口７を開くため、コレクタ口部が広く開かれて芝草の排出が速かに行われる。又、開閉板８に後下り傾斜に受けられて後方へ排出案内される。又、このダンプレバー９を操作して、コレクタ４を収容姿勢に復帰し、開閉板８を締めることができる。
【０００７】
請求項３に記載の発明は、前記コレクタ４口部は、このコレクタ４の底口７と、この前端部の口壁３に接合する前口１０とを形成して、側面視Ｌ字状形態に開放することを特徴とする。前記コレクタホルダ５に対して着脱するコレクタ４は、コレクタ口部をこの着脱部である前口１０から底部６の底口７にわたってＬ字状形態に広く、大きく開放形成するため、コレクタ４の構成を簡単、軽量にすることができ、芝草排出を速かに行わせることができ、コレクタ４の着脱操作を容易にすることができる。
【０００８】
請求項４に記載の発明は、前記コレクタ４の後底部６を、このダンプ回動方向に沿う円弧状曲面形態に形成したことを特徴とする。前記コレクタ４の底部６の形状がこのダンプ回動方向に沿った円弧状形態に形成されるため、このコレクタ４のダンプ回動による排出時には、芝草の付回り等の排出抵抗を少くして、収容芝草からコレクタ４底部６を上方へ抜き取るようにして、芝草を下方へ円滑に落下排出させる。コレクタ４のダンプ操作により芝草排出を円滑に行わせる。
【０００９】
請求項５に記載の発明は、前記コレクタ４の左右両側部にハンガアーム１１を設け、このハンガアーム１１を、コレクタホルダ５のダンプ軸１２、及び後方に突出のダンプアーム１３に係合支持させて着脱可能に設けたことを特徴とする。ダンプレバー９はダンプ軸１２のダンプアーム１３を回動する構成であるから構成を簡単にして、操作を軽快に行わせることができる。コレクタ４はダンプアーム１３に対して係合支持させるため、コレクタ４の着脱構成、操作共に簡単、容易であり、このダンプアーム１３に支持させることによって、コレクタ４の前口１０を口壁３に又、底口７を開閉板８上面に接合させて、芝草収容易姿勢に維持させることができ、安定姿勢に支持して、芝草収容を的確に行わせることができる。
【発明の効果】
【００１０】
請求項１に記載の発明は、シュータ口２、口壁３、及び開閉板８を形成したコレクタホルダ５に対して、コレクタ４を着脱するため、コレクタ４自体の構成を簡単、軽量化することができ、このコレクタ４のダンプ操作を容易に行わせることができる。又、このとき、開閉板８を連動して後下り傾斜に開口させることによって、コレクタ４のダンプ開口を広くして芝草排出を速かに行わせることができ、しかも、この排出時の芝草を開閉板８の後下り傾斜面により車体後方位置へ案内して、車体後端部に対する干渉しない位置に排出させることができる。
【００１１】
請求項２に記載の発明は、ダンプレバー９は、車体に固定のコレクタホルダ５に対して支持するコレクタ４をダンプ回動させると共に、開閉板８を開閉回動するため、コレクタ４のダンプ操作構成を簡単にして、軽快に行わせることができる。
【００１２】
請求項３に記載の発明は、コレクタ口部は、口壁３に接合する前口１０と、開閉板８によって開閉される底口７とによって、側面視略Ｌ字状形態に形成される。このコレクタ口部がこれらコレクタホルダ５の口壁３や、開閉板８等に受けられた状態に支持されている収容姿勢にあるときは、シュータ口２から送込まれる芝草を収容することができ、コレクタ４がダンプ回動されて排出姿勢にあるときは、コレクタ口部が口壁３や、開閉板８等から離れて、後方上部へ回動されて、前口１０及び底口７にわたって側面視Ｌ字形態に広く開放されて、芝草を速かに落下排出させる。
【００１３】
請求項４に記載の発明は、前記コレクタ４のダンプ回動時は、コレクタホルダ５のダンプ軸１２周りに後上方へ回動される。このコレクタ４の後底部６がこのダンプ軸１２周りの円弧状面に沿った形態に形成されているため、コレクタ口部から落下排出される芝草から上方へ引き抜く形態にして、芝草落下排出の抵抗を小さくし、芝草排出残留を少くして、速かな排出を行わせる。
【００１４】
請求項５に記載の発明は、コレクタ４に設けられたハンガアーム１１を、コレクタホルダ５のダンプ軸１２やダンプアーム１３に係合して支持させて、コレクタ４をコレクタホルダ５に対して着脱する。コレクタ４のダンプ操作時は、ダンプ軸１２及びダンプアーム１３等の回動によってコレクタ４がダンプ回動されて、コレクタ口部をコレクタホルダ５の前記口壁３や開閉板８等から離間させて大きく開放した排出姿勢とする。又、このコレクタ４を外すときは、ダンプ軸１２やダンプアーム１３等の取付部を外すことによって、コレクタ４のコレクタ口部を大きく開いた形態とし、コレクタホルダ５の後側面をも開放状態として、各々掃除等のメンテナンスを行い易くすることができる。
【発明を実施するための最良の形態】
【００１５】
図例に基づいて、車体１４は前輪１５、後輪１６をエンジン１７により伝動して走行する四輪走行形態で、ダッシュボード１８上にはステアリングハンドル１９を有し、ステップフロア２０後部のシートカバー２１上には運転席２２を配置した小形乗用形態としている。この車体１４の腹部に左右一対のブレード２３のブレード軸２４を軸装したモーアデッキ２５を、前後一対の平行リンク２６で昇降可能に吊下げ、車体１４側のリフトアーム２７に連結して昇降することができる。車体１４後部の左右後輪１６間には、右側寄り位置にＨＳＴ（油圧無段変速装置）２８、及びミッションケース２９を配置し、このミッションケース２９の左右両側部にリヤアクスルハウジング３０を張出して後輪１６を軸装している。これらＨＳＴ２８の右寄り位置にＰＴＯ軸３１、及び入力軸３２を設けて、これら軸３１からは伝動機構３３を介してモーアデッキ２５上側のブレード軸２４上に位置する入力ケース３４の入力軸を連動する。前記モーアデッキ２５の後側中央部に形成の排出口３５には、シュータ１を連結して、このシュータ１は、前記ミッションケース２９の左側、及び左側リヤアクスルハウジング３０の上側で、かつ前記シートカバー２１の下方部を後方上部にわたって傾斜するように形成し、車体１４後端に装着の芝草収容装置３６に連通する構成としている。モーアデッキ１のブレード２３の回転によって刈取られる芝草を排出口２５に集送させて、シュータ１を経て芝草収容装置３６のコレクタ４内へ搬送して収容させる。
【００１６】
前記芝草収容装置３６は、車体１４の後端部に装着し、車体１４の後部ヒッチ３７に取付け可能のコレクタホルダ５と、このコレクタホルダ５の後側に着脱自在で、かつダンプ回動可能のコレクタ４と、このコレクタ４をダンプ操作するダンプレバー９等から構成される。
【００１７】
ここにおいて、この芝草収容装置３６は、芝草搬送シュータ１をのぞませるシュータ口２を形成の口壁３を有して後側に芝草収容のコレクタ４口部を接合させて着脱可能とするコレクタホルダ５に、これに取付けられるコレクタ４底部６の底口７を閉鎖して芝草を収容すると共に、このコレクタ４のダンプ時には後下り傾斜して芝草を後下方へ排出案内する開閉板８を設ける構成とする。なお、コレクタ４は外周部を形成するパイプ状の網枠４ａと、該網枠４ａ間に張設される網体４ｂとによりバッグコレクタに構成されている。
【００１８】
コレクタ４をコレクタホルダ５に取付けて、コレクタ口部を口壁３及び開閉板８に接合させた状態で、芝草の刈取、収容を行う。モーアデッキで刈取られる芝草が、シュータ１を経て口壁３のシュータ口２からコレクタ４内へ吹込搬入されて、搬送風はコレクタ４の網目から排気し、芝草がコレクタ４内に収容される。この収容芝草を排出するには、コレクタ４をダンプすることによって、コレクタ口部から排出落下させる。このコレクタ４のダンプ回動に連動して開閉板８が後下り傾斜に回動して、コレクタ口部から落下する芝草を受けて後方地面へ排出案内する。
【００１９】
又、前記コレクタホルダ５に、コレクタ４を後上部へ回動するダンプレバー９を設け、このダンプレバー９により前記開閉板８を開閉連動する構成とする。前記コレクタ４のダンプ操作は、コレクタホルダ５に設けたダンプレバー９の手操作による回動によって行われる。コレクタ４をダンプ回動することによって、コレクタ口部から収容芝草が下方へ排出される。この排出と連動して開閉板８が下方回動して底口７を開くため、コレクタ口部が広く開かれて芝草の排出が速かに行われる。又、開閉板８に後下り傾斜に受けられて後方へ排出案内される。又、このダンプレバー９を操作して、コレクタ４を収容姿勢に復帰し、開閉板８を締めることができる。
【００２０】
又、前記コレクタ４口部は、このコレクタ４の底口７と、この前端部の口壁３に接合する前口１０とを形成して、側面視Ｌ字状形態に開放する形態とする。前記コレクタホルダ５に対して着脱するコレクタ４は、コレクタ口部をこの着脱部である前口１０から底部６の底口７にわたってＬ字状形態に広く、大きく開放形成するため、コレクタ４の構成を簡単、軽量にすることができ、芝草排出を速かに行わせることができ、コレクタ４の着脱操作を容易にすることができる。
【００２１】
更には、前記コレクタ４の左右両側部にハンガアーム１１を設け、このハンガアーム１１を、コレクタホルダ５のダンプ軸１２、及び後方に突出のダンプアーム１３に係合支持させて着脱可能に設ける。ダンプレバー９はダンプ軸１２のダンプアーム１３を回動する構成であるから構成を簡単にして、操作を軽快に行わせることができる。コレクタ４はダンプアーム１３に対して係合支持させるため、コレクタ４の着脱構成、操作共に簡単、容易であり、このダンプアーム１３に支持させることによって、コレクタ４の前口１０を口壁３に又、底口７を開閉板８上面に接合させて、芝草収容易姿勢に維持させることができ、安定姿勢に支持して、芝草収容を的確に行わせることができる。
【００２２】
前記コレクタホルダ５は、正面視で囲桁状に構成したコレクタフレーム３８にシュータ口２を左寄位置に形成した口壁３（板金製、乃至樹脂製）を張設し、このコレクタフレーム３８の上端部に、ダンプアーム１３を有したダンプ軸１２を回動自在に支持し、下側部には、開閉板８を支持ピン３９周りに上下回動可能に支持し、又、コレクタフレーム３８の右側にはダンプレバー９を設け、左側にはクリーナプレート４１を回動操作するクリーナレバー４０を配置している。このコレクタフレーム３８を主体とするコレクタホルダ５の後側に着脱するコレクタ４は、箱形状に形成されて、網枠４３の外周面に通気性のメッシュ形成の網材４２を張設して構成され、前面から底面前半部を開放して前口１０、及び底口７を形成している。この底口７は、コレクタ４の底部の略前半部を、前口１０に続けて開放し、前記開閉板８の上面に位置させ、この開閉板８を上回動位置で閉鎖して芝草収容することができ、この開閉板８を下回動によって開口して収容芝草を後側下方へ排出案内させることができる。
【００２３】
前記コレクタホルダ５の右横端には、運転席２２側から操作可能のダンプレバー９を設ける。このダンプレバー９は、ダンプアーム１３の基部のブラケット４４に対して上下摺動可能に支持させて、このダンプアーム１３の下端部をコレクタフレーム３８に一体のロックブラケット４５に対して嵌合、離脱させて、ダンプレバー９の前後回動操作を固定可能に構成している。前記コレクタフレーム３８の上端部に回動可能に支架されたダンプ軸１２の左右両端部には、前記ダンプアーム１３と共に、開閉板８を回動するリンクアーム４６を設ける。このリンクアーム４６と開閉板８の左右両側端縁４７との間をリンクロッド４８で連結して、開閉板８を、コレクタフレーム３８下端部の支持ピン３９周りに上下に回動することができる。このリンクロッド４８の上端部には、長穴４９を形成して、前記リンクアーム４６の連動ピン５０を係合させて連動し、ダンプアーム１３と開閉板８との回動差を吸収するように構成している。又、この開閉板８の側端縁４７の前端部には、ピン穴５１を形成して、このピン穴５１を、コレクタフレーム３８下端部にボルト５２締めで取付けるアングル状の取付ブラケット５３の支持ピン３９に嵌合させて、上下に開閉回動可能に構成している。
【００２４】
前記ダンプアーム１３は、後方へ略水平状に突出して、端部に係合ピン５４の嵌合する係合部５５を形成する。このダンプアーム１３と対向するコレクタ４の左右両側部には、ハンガアーム１１を有し、このハンガアーム１１の前端部は、コレクタ４の前口１０よりも、適宜突出させて、前記ダンプ軸１２の左右両端部に下側から嵌合する係合部５６を形成すると共に、このハンガアーム１１の後端部には、該ダンプアーム１３の係合部５５に上側から嵌合する係合ピン５４を設けている。このハンガアーム１１をダンプアーム１３の内側へ差込んで、係合部５６をダンプ軸１２の端部に嵌合させると共に、係合ピン５４をダンプアーム１３の係合部５５に嵌合させて支持することによって、コレクタ４の取付姿勢を支持させることができる。又、取外時にはコレクタ４を浮上させて係合ピン５４部を係合部５５から外し、係合部５６をダンプ軸１２から外すことによって簡単な操作によって取外すことができる。
【００２５】
前記コレクタフレーム３８の左端前側に設けたクリーナレバー４０は、リンクロッド５７を介して、クリーナプレート４１のプレート軸５８を連結し、シュータ１の後端底部のクリーナプレート４１を後方上部へ起立させて、このクリーナプレート４１の上面部に滞留する芝草をシュータ口２から後側のコレクタ４内へ押込むことができる。このシュータ１の終端床部には、排気口５９を形成していて、クリーナプレート４１を閉鎖状態に維持するが、このクリーナプレート４１の起立回動によって開口することができ、モーアデッキ２５側からの送風をこの排気口５９から下方へ逃すことができる。
【００２６】
芝草刈取時は、前記コレクタ４をコレクタホルダ５部に取付けて、ダンプレバー９を押下げてロックブラケット４５に係合させ、クリーナレバー４０によるクリーナプレート４１を下方に倒した状態にしておく。モーアデッキ２５で刈取られる芝草は、シュータ１を搬送されてシュータ口２からコレクタ４内へ収容される。この収容された芝草は、主としてコレクタ底部６、乃至底口７を閉鎖する開閉板８上に受けて収容される。このコレクタ４が芝草で一杯になると、ダンプレバー９を操作して芝草排出作業を行う。このとき、クリーナレバー４０を操作してクリーナプレート４１を後方上部へ起立させて、シュータ１終端部の芝草をコレクタ４内へ押込でおいて、ダンプレバー９を上方へ引き上げて、ロックブラケット４５との係合を外してから前側へ回動すると、ダンプアーム１３、及びこれに係合するハンガアーム１１を介して、コレクタ４を上方へ一体回動して、前口１０や底口７等のコレクタ口部を、口壁３や開閉板８等のコレクタホルダ５から後方上部へ開放回動して排出姿勢にする。このコレクタ４の排出姿勢では、収容芝草が開放する前口１０や底口７部等から下方へ排出落下される。
【００２７】
このようなコレクタ４のダンプ操作に伴って、ダンプアーム１３と共にリンクアーム４６やリンクロッド４８等を経て開閉板８が支持ピン３９周りに下方回動されて、後下り傾斜になり、コレクタ口部の開きによって落下される芝草を受けて、後方床面上に排出案内する。
【００２８】
このような芝草排出を完了すると、クリーナレバー４０でクリーナプレート４１を倒してシュータ１を搬送状態に復帰し、ダンプレバー９を上方へ回動して、コレクタ４を芝草収容姿勢へ復帰させる。このとき、開閉板８が傾斜状態から上動して水平状態に復帰するとき、コレクタ４が下動して、底口７を閉鎖状態にする。コレクタ４が下動して、前口１０が口壁３面に接近し、底口７が開閉板８上面に接近して閉鎖されると、シュータ口２から吹込まれる芝草を収容して支持可能の状態とすることができる。ここで、ダンプレバー９を押し下げて、ロックブラケット４５に係合させることにより、コレクタ４を収容姿勢に維持することができる。又、このようなダンプアーム１３と開閉板８との回動において、例えば、開閉板８の下側に石等の異物があって、開閉板８が十分に下りきれない時は、長穴４９と連動ピン５０と関係によって、コレクタ４のダンプ作動は正規位置まで正確に行わせることができる。
【００２９】
次に、主として図３、図４に基づいて、前記コレクタ４を、前記コレクタ４の後底部６を、このダンプ回動方向に沿う円弧状曲面形態に形成する。前記コレクタ４の底部６の形状がこのダンプ回動方向に沿った円弧状形態に形成されるため、芝草の付回り等の排出抵抗を少なくして、収容芝草からコレクタ４底部６を上方へ抜き取るようにして、芝草を下方へ円滑に落下排出させる。コレクタ４のダンプ操作により芝草排出を円滑に行わせる。
【００３０】
前記コレクタ４の網枠４２を底口７部から後面部６１にわたって、ダンプ軸１２周りの側面視で略円弧状形態に形成している。従ってこの網枠４２に張設される網材４３の底部６もこの網枠４２の形態に沿うように円弧状形態に形成される。コレクタ４の上面部６２の上側には適宜の間隔部６３を有してカバー６４を設けて被覆し、塵埃飛散を防止している。前記ダンプアーム１３とコレクタフレーム３８との間にはエアダンパー６５を設けている。
【００３１】
次に、主として図５に基づいて、前記口壁３のシュータ口２の一側に、案内板６６を左右回動調節可能に設けて、シュータ１からコレクタ４内へ搬送される芝草の吹込案内方向を調節するものである。案内板６６は蝶番６７によって左右回動自在に取付けられ、この案内板６６の裏面と、口壁３部との間に支持ロッド６８を設けて、案内板６６の調節位置を支持固定する。この支持ロッド６８の口壁３端部を支持する支持具６９は、ボルト７０によって締付けて口壁３部に固定することができるが、この挿通ボルト７０を緩めることによって左右へ移動できるボルト長穴７１を形成して、この長穴７１に沿って挿通ボルト７０を移動することにより、案内板６６の左右角度を変更調節することができる。
【００３２】
次に、主として図６に基づいて、前記コレクタ３６のコレクタ４を左右一対の分割形態として、各々着脱可能の構成としてものである。各別に着脱して芝草排出操作の行い易くするものである。コレクタ４は、左右一対の対称形態に構成し、前口１０と、内側の対向壁部に横口７２を形成している。この横口７２は左右一対のコレクタ４を並設する状態では互に連通して、後半部に仕切壁７３が形成される。コレクタホルダ５の上部には、ハンガ用のフック穴７４を設け、このフック穴７４にコレクタ４の前口１０上部に形成のフック７５を係合させて、コレクタ４の取付を行うことができる。
【００３３】
次に、主として図７に基づいて、前記ミッドモーアデッキ２５の伝動を、車体１４前部に設けられるフロントＰＴＯ軸７６から連動する形態において、エンジン１７、及びステアリングハンドル１９のステアリング軸７７を車体１４の略センタライン上に沿って配置し、前記モーアデッキ２５の後側中央部の排出口３５と車体１４後部のコレクタ３６との間を連結するシュータ１を、これらセンタラインの一側（図例では左側）に沿って設け、これと反対側（同右側）にＨＳＴ２８、及びカウンタギヤケース７８を配置して、前方のエンジン軸８３に連動する構成として、ステアリング軸７７やシュータ１等との干渉をなくして簡潔な伝動構成とする。前記ミッションケース２９の前部に配置のＨＳＴ２８の入力軸７９と、この前方のカウンタギヤケース７８の出力軸８０との間をベルト８１連動している。車体１４の腹部に装着のモーアデッキ２５上方部を前後方向にわたる連動軸８２を、前部のエンジン軸８３とカウンタギヤケース７８の入力軸８４との間に自在継手を介して連結してＨＳＴ２８を駆動するように構成している。
【００３４】
又、エンジン軸８３の前端部と、車体１４前端部に軸受けしたＰＴＯ軸７６との間にベルト８５を掛けわたして伝動する。このＰＴＯ軸７６の後端とモーアデッキ２５上の入力ケース３４の入力軸８６との間を、自在継手等を介する連動軸８７によって連結して伝動する。これらモーアデッキ２５上の左右のブレード軸２４相互間は、横方向にわたる連動軸８８によって連動する。これらＰＴＯ軸７６や連動軸８７等は、前記車体１４のセンタラインの左側寄り位置に偏位して配置している。又、前輪１５は左右に走行回動するが、この左側の前輪１５の操向角を右側前輪１５の操向角よりも小さくするように設定して、連動軸８７に干渉しない形態とすることができる。
【００３５】
次に、主として図８に基づいて、前記モーアデッキ２５の刈取芝草の排出方向を、このモーアデッキ２５の横側の横排出口８９から排出させる形態としたもので、この横排出口８９部に、コレクタ３６に連通するサイドシュータ９０を連結する。サイドシュータ９０の前端部に側面視門形状の取付具９１を設け、モーアデッキ２５に対して連結リンク９２を介して上下移動可能に設け、下動することによってこの取付具９１を横排出口８９に嵌合してサイドシュータ９０の入口９３を横排出口８９の後側部にのぞませることができる。又、この横排出口８９の外側にはサイドカバー９４を蝶番９５を介して着脱可能乃至開閉回動可能に取付けている。横排出口８９から排出する場合は、このサイドカバー９４を開いて、芝草を直接横外方へ排出させるか、又は、前記サイドシュータ９０を連通してコレクタ３６側へ搬送させる場合は、この取付具９１の外側部を再度カバー９４で覆って、排出芝草を入口９３側へ案内することができる。又、このサイドカバー９４は取付具９１の外側に取り付ける形態とすることもできる。
【図面の簡単な説明】
【００３６】
【図１】芝草収容装置の斜視図。
【図２】ミッドモーアの側面図。
【図３】コレクタの側面図。
【図４】その作用を示す側面図。
【図５】コレクタの斜視図。
【図６】コレクタの別例を示す斜視図。
【図７】ミッドモーアの伝動経路例を示す平面図。
【図８】モーアデッキの横排出形態を示す一部の斜視図。
【符号の説明】
【００３７】
１        シュータ
２        シュータ口
３        口壁
４        コレクタ
５        コレクタホルダ
６        底部
７        底口
８        開閉板
９        ダンプレバー
１０    前口
１１    ハンガアーム
１２    ダンプ軸
１３    ダンプアーム
【図１】
2009131170.tif 000003
【図２】
2009131170.tif 000004
【図３】
2009131170.tif 000005
【図４】
2009131170.tif 000006
【図５】
2009131170.tif 000007
【図６】
2009131170.tif 000008
【図７】
2009131170.tif 000009
【図８】
2009131170.tif 000010